(57)【要約】      （修正有）【課題】靴に紐を通して結んだ後でも簡単に着脱することができ、紐靴の既成のデザインに個性的な装飾を施すことが可能な靴紐用装飾具を提供する。【解決手段】靴紐の表面がわに装着される装飾具本体１０を形成する。該装飾具本体１０に設けられ靴紐に連結せしめる連結具２０を形成する。連結具２０は、前記装飾具本体１０の裏面に突出形成された複数の係止爪２１にて形成する。各係止爪２１は間隔をおいて並べられ、係止爪２１を靴紐の側面から交互に係止するように構成し、靴に通した後の靴紐に装着する。【選択図】図２
0003156844.tif 000002
【実用新案登録請求の範囲】
【請求項１】
靴に通した靴紐の表面がわに装着される装飾具本体と、該装飾具本体に設けられ靴紐に連結せしめる連結具とを有し、靴に通した後の靴紐に連結具を装着するように構成したことを特徴とする靴紐用装飾具。
【請求項２】
前記連結具は、前記装飾具本体の裏面に突出形成された複数の係止爪にて形成され、各係止爪は間隔をおいて先端が向き合うように交互に並べられ、該係止爪を靴紐の側面から交互に係止するように構成した請求項１記載の靴紐用装飾具。
【請求項３】
前記装飾具本体は、略板状を成した装飾基盤にて構成された請求項１記載の靴紐用装飾具。
【請求項４】
前記装飾具本体は、略板状を成した装飾基盤と、該装飾基盤の表面に固定される装飾体とからなる請求項１又は３記載の靴紐用装飾具。
【考案の詳細な説明】
【技術分野】
【０００１】
本考案は、靴紐に装着することで靴のデザインに個性的な装飾を施すことができる靴紐用装飾具に関する。
【背景技術】
【０００２】
靴紐に装着してオシャレ感覚を楽しむことができる装飾体として、特許文献１に記載の靴の装飾体が提案されている。この装飾体は、靴紐に装着する環体に装飾を施したものでこの環体に紐通を通して装着し、この環体で靴紐に装飾を施すものである。
【０００３】
また、歩行時に位置ずれせず、歩行時に靴の表面を傷付けたりすることがないように形成した靴用装飾具が特許文献２に記載されている。この装飾具は、靴紐が通される孔を有する台座部と、この台座部の上面に固定されている装飾部とで形成されたもので、特に、台座部の孔が左右に一対並べられている。
【先行技術文献】
【特許文献】
【０００４】
【特許文献１】実用新案登録第３０９４４９４号公報
【特許文献２】特開２００６−１８１０６０号公報
【考案の概要】
【考案が解決しようとする課題】
【０００５】
靴紐に装着するタイプのいずれの装飾具も、装飾具本体や台座に靴紐を通して装着するものである。したがって、これらの装飾具は、靴に靴紐を通した後では装着できないものであった。そのため、装飾具の装着作業が極めて面倒な作業になっていた。また、一度装着した装飾具は、靴紐を解かなければ取り外すことができず、しかも、装着した後で装着位置を変更することも容易ではなかった。
【０００６】
特に台座部の孔が左右に一対並べられているものでは、二つの孔に靴紐を通さなければならない構造になっているので、装着作業を更に困難にしている。
【０００７】
このように、従来の装飾具において靴紐を通す構造にしているのは、歩行時等の脱落を防止する目的に他ならない。仮に、クリップ等で靴紐に装着した場合は、歩行時の衝撃等で簡単に脱落するおそれがある。
【０００８】
この結果、従来の靴紐用装飾具は、歩行時等の脱落を防止することはできても、靴紐に装着する作業が困難になり、取り外しや位置の変更においても、その都度靴紐を外す作業が必要になっている。したがって、靴や衣服とのコーディネートを図るために、複数の装飾具を試しに装着するなどということは不可能であった。
【０００９】
そこで本考案は、上述の課題を解消すべく案出されたもので、特に、靴に紐を通して結んだ後でも簡単に着脱することができ、しかも、歩行時に何らかの衝撃を受けても脱落を防止することができ、紐靴の既成のデザインに個性的な装飾を施すことが可能な靴紐用装飾具の提供を目的とするものである。
【課題を解決するための手段】
【００１０】
上述の目的を達成すべく本考案における第１の手段は、靴Ｑに通した靴紐Ｐの表面がわに装着される装飾具本体１０と、該装飾具本体１０に設けられ靴紐Ｐに連結せしめる連結具２０とを有し、靴Ｑに通した後の靴紐Ｐに連結具２０を装着するように構成したことにある。
【００１１】
第２の手段の前記連結具２０は、前記装飾具本体１０の裏面に突出形成された複数の係止爪２１にて形成され、各係止爪２１は間隔をおいて先端が向き合うように交互に並べられ、該係止爪２１を靴紐Ｐの側面から交互に係止するように構成したものである。
【００１２】
第３の手段において、前記装飾具本体１０は略板状を成した装飾基盤１１にて構成されたものである。
【００１３】
第４の手段の前記装飾具本体１０は、略板状を成した装飾基盤１１と、該装飾基盤１１の表面に固定される装飾体１２とからなることを課題解消のための手段とする。
【考案の効果】
【００１４】
本考案の請求項１の如く、靴紐Ｐの表面がわに装着される装飾具本体１０と、該装飾具本体１０に設けられ靴紐Ｐに連結せしめる連結具２０とを有し、靴Ｑに通した後の靴紐Ｐに装着するように構成したことにより、靴に紐を通して結んだ後でも簡単に着脱することができる。この結果、靴や衣服とのコーディネートを図るために、複数の装飾具を試しに装着することも可能になった。
【００１５】
請求項２のように、連結具２０は、前記装飾具本体１０の裏面に突出形成された複数の係止爪２１にて形成され、各係止爪２１は先端が向き合うように交互に並べられ、該係止爪２１を靴紐Ｐの側面から交互に係止するように構成したものであるから、装飾具本体１０と連結具２０とが一体化され、あたかも連結具２０に靴紐Ｐを通したかのような装着が可能である。しかも、装飾具本体１０と連結具２０とが一体化された状態で靴紐Ｐに緊締されるから、例えば、クリップ等で靴紐Ｐに装着した場合のように、歩行時等の衝撃で外れるおそれもない。
【００１６】
請求項３の如く、装飾具本体１０は略板状を成した装飾基盤１１にて構成されているので、極めてシンプルなデザインを施すことができる上、装着時にこの装飾基盤１１が靴紐Ｐに沿った状態で装着されるから、装飾基盤１１と靴紐Ｐとが一体化して歩行時の妨げにならずに済む。
【００１７】
請求項４によると、装飾具本体１０は、略板状を成した装飾基盤１１と、該装飾基盤１１の表面に固定される装飾体１２とからなるから、装飾体１２のデザイン変更等により、極めて幅広い装飾が可能になる。
【図面の簡単な説明】
【００１８】
【図１】本考案の一実施例を示す使用状態の斜視図である。
【図２】本考案の連結具の一実施例を示す底面図である。
【図３】本考案の連結具の一実施例を示す側面図である。
【図４】本考案の連結具の他の実施例を示す底面図である。
【図５】本考案の他の実施例を示す斜視図である。
【考案を実施するための形態】
【００１９】
このように本考案によると、靴に紐を通して結んだ後でも簡単に着脱することが可能でたとえ歩行時に何らかの衝撃を受けても脱落するおそれがなく、紐靴の既成のデザインに個性的な装飾を施すことが可能になるといった目的を実現した。
【実施例】
【００２０】
以下、本考案の一実施例を説明する。本考案は、靴Ｑに通した後の靴紐Ｐに装着するように構成したものである。すなわち、靴紐Ｐの表面がわに装着される装飾具本体１０と、該装飾具本体１０に設けられ靴紐Ｐに連結せしめる連結具２０とからなる（図２参照）。
【００２１】
装飾具本体１０は、靴紐Ｐの表面がわに装着される部材で、金属材、合成樹脂材、木材など、材質は任意に設定できる。図示例では、側面略コ字状の略板状を成した金属製の装飾基盤１１にて装飾具本体１０と連結具２０とを一体に形成している（図２参照）。また装飾具本体１０と連結具２０とを別体に形成してから一体に連結することも可能である。
【００２２】
装飾基盤１１は、単独で装飾具として用いることができる（図１参照）。また、この装飾基盤１１に、更に装飾体１２を固定することも可能である（図５参照）。図示の装飾体１２は、装飾基盤１１の表面に固定したもので、任意の材質で自由なデザインを施すことができる。したがって、この装飾体１２は材質により固定手段が異なり、例えば、溶着手段、接着手段、あるいはスナップや面ファスナーによる着脱自在な固定手段など（図示せず）、装飾基盤１１に装飾体１２を固定できるものであれば手段の変更は自由である。
【００２３】
連結具２０は、靴紐Ｐに連結せしめる部材で装飾具本体１０の裏側に設けられている（図２、図３参照）。図示例の連結具２０は、装飾具本体１０の裏面に突出形成された複数の係止爪２１にて形成され、先端が向き合うように交互に並べている。このような連結具２０では、係止爪２１を靴紐Ｐの側面から交互に係止するものである。係止爪２１の数は任意に変更してもよい。
【００２４】
このとき図２に示す如く、両端に位置する係止爪２１の先端が外側に広がるように僅かに屈曲することで、靴紐Ｐの導入作業を容易にすることができる。更に、同図に示す如く中央に位置する係止爪２１を隣接する他の係止爪２１に比べて短くしたり、先端部に靴紐Ｐが引っ掛らずに導入できるような丸みを設けた導入部２１Ａを設けたりしてもよい。こうすることで、係止爪２１による一連の係止作業を更に容易にすることができる。また図４に示す如く、複数の係止爪２１を略平行に並べてもよい。
【００２５】
係止爪２１による一連の係止作業は、まず、外側の係止爪２１内側に靴紐Ｐを係止し、次の係止爪２１の外側に靴紐Ｐを巻き付け、更に次の係止爪２１の内側に係止するという具合に交互に係止するものである。こうすることで、既に靴Ｑを締付けた靴紐Ｐの緊締力を利用して、係止爪２１を強固に固定することができる。
【産業上の利用可能性】
【００２６】
尚、本考案は、図示例に限定されるものではなく、本考案の各構成は本考案の要旨を変更しない範囲において自由に変更できるものである。更に、本考案において、装飾具本体１０を装着する靴Ｑは、紐靴全体に適用可能であり、スニーカーやブーツなど、靴Ｑの種類に係らず、また、女性用若しくは男性用に限定されず、靴紐Ｐを使用する靴Ｑであればどのような靴Ｑにでも装着することができる。
【符号の説明】
【００２７】
Ｐ  靴紐
Ｑ  靴
１０  装飾具本体
１１  装飾基盤
１２  装飾体
２０  連結具
２１  係止爪
２１Ａ  導入部
【図１】
0003156844.tif 000003
【図２】
0003156844.tif 000004
【図３】
0003156844.tif 000005
【図４】
0003156844.tif 000006
【図５】
0003156844.tif 000007